(57)【要約】【課題】水中での苔上や水中だけでなく、落ち葉や泥、砂利、笹等の上を歩行するときにも滑ることを抑制できる釣り靴用底部を提供する。【解決手段】釣り靴用底部は、人の足を収容すべき靴本体２の底部に配された靴底３からなり、靴底３の外周部分を形成するラバー製のラバー部４と、ラバー部４に囲繞されて靴底３の中央部分に連続した一つの領域として形成され、ラバー部４よりも靴底３方向に突出したフェルト製のフェルト部５とを備えている。これにより、釣り中の水中及び水中以外での歩行や踏ん張り時の滑りを防止できる。【選択図】        図１
2017077436.tif 000002
【特許請求の範囲】
【請求項１】
人の足を収容する靴本体の底部に配されるべき靴底と、
前記靴底の外周部分を形成するラバー製のラバー部と、
該ラバー部に囲繞されて前記靴底の中央部分に連続した一つの領域として形成されているフェルト製のフェルト部とを備えたことを特徴とする釣り靴用底部。
【請求項２】
前記フェルト部は、前記前記ラバー部よりも前記靴底方向に突出していることを特徴とする請求項１に記載の釣り靴用底部。
【請求項３】
前記フェルト部は前記靴底方向から視たときの前記フェルト部の左右の辺である側辺を有し、
該側辺は前記靴底の前後方向の全長に亘って一本の直線以外の非直線で形成されていることを特徴とする請求項１又は２に記載の釣り靴用底部。
【請求項４】
前記フェルト部はその外縁が前記ラバー部の外縁と同一形状に形成されていることを特徴とする請求項１又は２に記載の釣り靴用底部。
【請求項５】
前記ラバー部の内周側の表面は、前記靴本体方向に傾斜した傾斜部を有していることを特徴とする請求項１〜４のいずれかに記載の釣り靴用底部。
【請求項６】
前記ラバー部及びフェルト部には、前記ラバー部の表面から突出し、前記フェルト部の表面より内側又は同一面に先端が位置するピンが埋設されていることを特徴とする請求項１〜５のいずれかに記載の釣り靴用底部。
【発明の詳細な説明】
【技術分野】
【０００１】
本発明は、どのような場所でも違和感なく滑らずに歩行することができる釣り靴用底部に関するものである。
【背景技術】
【０００２】
歩行の阻害を抑制するための釣り靴用底部が近年種々開発されている（例えば特許文献１参照）。特許文献１では、フェルトで形成されたフェルト部を少なくとも接地面側に備えた底部本体と、該底部本体に埋設され且つピン先が接地面から露出したスパイクピンとを備えてなる釣り靴用底部であって、スパイクピンが接着剤によりフェルト部に接着されているものを開示している。
【先行技術文献】
【特許文献】
【０００３】
【特許文献１】特開２００１−２９２８０５号公報
【発明の概要】
【発明が解決しようとする課題】
【０００４】
しかしながら、フェルトを靴の底部に配することは水中での苔上を歩くときに滑りにくくできるが、水中に入る前のエントリー時に落ち葉や泥、砂利、笹等がある場所では滑りやすくなってしまう。スパイクピンはこのようなエントリー時で滑りを抑制するが、このピンが効果を発揮するのは足の長い苔があったとき等、かなり滑りやすい状況の場合であり、エントリー時の落ち葉等では、このようなピンはあまり滑りの抑制として有効ではない。
【０００５】
本発明は、上記従来技術を考慮したものであり、水中での苔上や水中だけでなく、落ち葉や泥、砂利、笹等の上を歩行するときも滑ることを抑制でき、さらにフェルトの摩耗軽減も考慮した釣り靴用底部を提供することを目的とする。
【課題を解決するための手段】
【０００６】
前記目的を達成するため、本発明では、人の足を収容する靴本体の底部に配されるべき靴底と、前記靴底の外周部分を形成するラバー製のラバー部と、該ラバー部に囲繞されて該靴底の中央部分に連続した一つの領域として形成されているフェルト製のフェルト部とを備えたことを特徴とする釣り靴用底部を提供する。
【０００７】
好ましくは、前記フェルト部は、前記ラバー部よりも前記靴底方向に突出している。
【０００８】
好ましくは、前記フェルト部は前記靴底方向から視たときの前記フェルト部の左右の辺である側辺を有し、該側辺は前記靴底の前後方向の全長に亘って一本の直線以外の非直線で形成されている。
【０００９】
好ましくは、前記フェルト部はその外縁が前記ラバー部の外縁と同一形状に形成されている。
【００１０】
好ましくは、前記ラバー部の内周側の表面は、前記靴本体方向に傾斜した傾斜部を有している。
【００１１】
好ましくは、前記ラバー部及びフェルト部には、前記ラバー部の表面から突出し、前記フェルト部の表面より内側又は同一面に先端が位置するピンが埋設されている。
【発明の効果】
【００１２】
本発明によれば、靴底がラバー製のラバー部とフェルト製のフェルト部で形成されている。このため、釣りをしている際に水中で苔上を歩くときや苔上で踏ん張るときにフェルト部により滑ることを防止でき、且つ河川、湖、海等の水中に辿り着くまでのエントリー時、あるいは他の入水ポイントまでの水辺を歩行する高巻き時等に落ち葉や泥、砂利、笹等の上を歩くときにラバー部により滑ることを防止できる。フェルト部が靴底の中央部分に連続した１つの領域として形成されているので、人は水中で踏ん張る際は足裏の中心部分に体重をかけて踏ん張るため、フェルト部全体を有効に利用して滑ることを防止できる。
【００１３】
また、フェルト部はラバー部よりも突出しているため、フェルトの摩耗にも所定期間耐えうることができ、さらに歩行の際はフェルト部は潰れるのでラバー部及びフェルト部による滑り止め効果の両方を利用することができる。また、ラバー部でフェルト部の全周を囲繞しているのでフェルト部の耐摩耗性を向上できるとともに、靴底の前後左右方向の全てに対してラバー部による滑り止め機能を発揮できる。
【００１４】
また、フェルト部の側辺が靴底の前後方向の全長に亘って一本の直線以外の非直線で形成されているので、水中を歩行又は踏ん張り時にラバー部が接地して滑ったときでも、あらゆる滑り方向に対してフェルト部の側辺が垂直に受けることになり、滑り防止機能が向上する。
【００１５】
また、フェルト部の外縁をラバー部の外縁と同一形状に形成することで、フェルト部は平面視にてラバー部と相似形となる。すなわち、フェルト部の外縁はラバー部の対応する外縁からの距離がすべて一定となっている。これにより、フェルト部を可能な限り広くなるように配することができ、フェルト部による滑り止め効果を効率よく得ることができる。
【００１６】
また、ラバー部の内周側の表面に傾斜部を設けることで、歩行や踏ん張り時にフェルトが潰れてラバー部の表面とフェルト部の表面とが面一になっていたとしても、傾斜部によりフェルト部の側面の一部が露出することになる。このため、水中を歩行又は踏ん張り時にラバー部が接地して滑ったときでも、フェルト部の露出した側面が苔をとらえ、滑ってしまうことを防止できる。
【００１７】
また、ラバー部及びフェルト部にピンを配することで、さらにピンによる滑り止め機能を追加することができる。このピンがフェルト部内に収まっている（フェルト表面と同一又は内側にピンの先端がある）ことで見栄えよく靴底を形成でき、また歩行中等はフェルトが潰れるのでピンが露出し、足の長い苔があってもピンによる滑り止め効果を発揮できる。ラバー部は潰れにくいため、ピンをラバー部よりも長く設定することで、ラバー部に配されたピンも利用できる。
【図面の簡単な説明】
【００１８】
【図１】本発明に係る釣り靴用底部を含む釣り靴の概略斜視図である。
【図２】本発明に係る釣り靴用底部を含む釣り靴の概略側面図である。
【図３】本発明に係る釣り靴用底部の概略図である。
【図４】釣り靴用底部の別の例を示す概略断面図である。
【図５】釣り靴用底部のさらに別の例を示す概略断面図である。
【図６】フェルト部の別の形状を示す概略図である。
【発明を実施するための形態】
【００１９】
図１〜図３に示すように、釣り靴１は、人の足を収容すべき靴本体２と、この靴本体２の底部に配された靴底３とを備えている。図の例では、この靴底３が釣り靴１の釣り靴用底部を形成している。すなわち、靴底３が本発明に係る釣り靴用底部を形成している。本発明に係る釣り靴用底部は、図で示した釣り靴１のような形態の他に、釣り用のブーツやウェーダーの靴底として適用することも可能である。
【００２０】
釣りをする人は靴本体２を履き、靴底３を接地することにより歩行したり水中で踏ん張ったりする。靴底３はラバー部４とフェルト部５、そしてこれらが固着されたミッドソール６で形成されている。ラバー部４は靴底３の外周部分を形成している。すなわち、ラバー部４は略環状に形成されていて、靴底３の外周部分として連続して設けられている。したがって靴底３の外周部分は全てラバー部４にて形成されている。靴底３の外周部分の内側を形成する中央部分はフェルト部５で形成されている。フェルト部５はこの中央部分に連続した１つの領域として形成されている。すなわち、フェルト部５は１つの塊として形成されていて、このフェルト部５はラバー部４により囲繞されている。
【００２１】
このフェルト部５は、ラバー部４よりも靴底方向に突出している。すなわち、フェルト部５の厚みはラバー部４の厚みより大きく形成されている。フェルト部５がこのように突出していることにより、釣り靴１の使用によりフェルトが摩耗してもある程度の期間耐えうることができる。また、フェルト部５は歩行の際等の人が履いている間、人の重みで潰れるので釣り靴１の使用中に歩きにくくなったりすることはない。またフェルト部５が潰れることによりラバー部４も接地することになり、ラバー部４及びフェルト部５の両方の滑り止め機能を発揮できる。ラバー部４でフェルト部５を囲繞しているので、ラバー部４によりフェルト部５を保護することができ、フェルト部４の耐摩耗性を向上させることができる。フェルト部５が潰れるということは、林道やアスファルトでの歩行での快適性を担保でき、違和感なく歩行することができる。またラバー部４が靴底３の周囲全域を形成しているので、靴底３の前後左右方向（全周方向）の全てに対してラバー部４の滑り止め効果を発揮できる。
【００２２】
このように、釣り靴１の釣り靴用底部たる靴底３は、ラバー部４とフェルト部５により形成されているので、水中及び水中以外での滑り止めを発揮できる。すなわち、フェルト製のフェルト部５により水中での石に付着した苔等で滑ってしまうことを防止でき、ラバー製のラバー部４により水中以外での落ち葉、泥、砂利、笹等で滑ってしまうことを防止できる。特にフェルト部５は、靴底３の中央部分に連続した１つの領域として形成されているので、人は水中で歩いたり踏ん張る際は足裏の中心部分に体重をかけるため、水中での苔上を歩くときや釣りをしているときの踏ん張り時に滑りを防止できる。これは、フェルトで形成された部分が複数靴底３に点在している構造では実現できない効果である。踏ん張るときに体重をかける部分にラバー製の箇所があるとやはり滑ってしまうからである。
【００２３】
また、ラバー部４があることにより、河川、湖、海等の水中に辿り着くまでのエントリー時や他の入水ポイントまでの水辺を歩行する高巻き時、あるいは崖面を伝ってつま先で歩くとき等に滑ることを防止できる。また、靴底３をフェルト部５のみで形成することに比べ、釣り靴１全体として軽量化を実現できる。すなわち、フェルトは水分を含むと重くなるので、靴底の一部をラバー部４とすることで軽くなる。
【００２４】
フェルト部５は、靴底３方向から視たときにフェルト部５の左右の辺である側辺５ａを有している。この側辺５ａは、フェルト部５の釣り靴１に対して前後方向に延びている辺である。この側辺５ａは、靴底３の前後方向の全長に亘って一本の直線以外の非直線で形成されている。例えば、図３を参照すれば明らかなように、側辺５ａは全長に亘って複数の湾曲した線が連続して形成されている。すなわち、様々な形状や大きさの波形曲線として形成されている。これにより、水中を歩行又は踏ん張り時にラバー部４が接地してしまって滑ったときでも、あらゆる滑り方向に対してフェルト部５の側辺５ａが垂直に受けることになり、滑りを防止できる。よって、靴底３全体としての滑り防止機能が向上する。なお、フェルト部５の側辺５ａが靴底３の前後方向の全長に亘って一本の直線以外の非直線で形成されていれば波形曲線でなくてもよく、例えば短い直線が角度を変えて連なっている鋸歯のような形状でもよい。
【００２５】
図４に示すように、ラバー部４の内周側の表面は、靴本体２方向に傾斜した傾斜部４ａを有している。すなわちラバー部４の接地表面は折れ曲がって形成され、フェルト部５の側面を広く露出させるように形成されている。このように、ラバー部４の内周側の表面に傾斜部４ａを設けることで、歩行や踏ん張り時にフェルト部５が潰れてラバー部４の表面とフェルト部５の表面とが面一になっていたとしても、傾斜部４ａによりフェルト部５の側面の一部はなお露出することになる。このため、水中を歩行又は踏ん張り時にラバー部４が接地して滑ったときでも、フェルト部５の露出した側面が苔をとらえ、滑ってしまうことを防止できる。
【００２６】
また、図５に示すように、靴底３にはピン８を設けてもよい。ピン８は、一本のピンからなるものと、２本のピンが組み合わさっているものとがある。ピン８はミッドソール６に取り付けられ、このミッドソール６からラバー部４及びフェルト部５の方向、すなわち接地方向に延びている。また、ピン８の長さはラバー部４の接地表面よりも長く、且つフェルト部５の表面と同一又はそれより短い。このように靴底３にピン８を配することで、靴底３全体としてさらにピン８による滑り止め機能を追加することができる。ピン８はフェルト部５内に収まっているので、見栄えよく靴底３を形成できる。加えて、歩行中等はフェルト部５が潰れるのでピン８が露出することになり、川底等に足の長い苔があってもピン８による滑り止め効果を発揮できる。一方でラバー部４は潰れにくいため、ピン８をラバー部４よりも長く設定することで、ラバー部４に配されたピンも随時利用できる。
【００２７】
また、図６に示すように、フェルト部５の外縁をラバー部４の外縁と同一形状に形成してもよい。このように、フェルト部５の外縁をラバー部４の外縁と同一形状に形成することで、フェルト部５は平面視にてラバー部４と相似形となる。すなわち、フェルト部５の外縁はラバー部４の対応する外縁からの距離がすべて一定となっている。これにより、フェルト部５を可能な限り広くなるように配することができ、フェルト部５による滑り止め効果を効率よく得ることができる。
【符号の説明】
【００２８】
１：釣り靴、２：靴本体、３：靴底、４：ラバー部、４ａ：傾斜部、５：フェルト部、５ａ：側辺、６：ミッドソール、８：ピン
【図１】
2017077436.tif 000003
【図２】
2017077436.tif 000004
【図３】
2017077436.tif 000005
【図４】
2017077436.tif 000006
【図５】
2017077436.tif 000007
【図６】
2017077436.tif 000008